(57)【要約】【課題】  操舵機構に対する路面ノイズの悪影響を簡単な構成で確実に抑制することができ、よって操舵フィーリングの低下を抑えることができる電動パワーステアリング装置を提供する。【解決手段】  操舵部材１から操向車輪４に至る操舵機構Ａに電動モータ９の動力を付与して操舵補助を行う電動パワーステアリング装置において、操向車輪４が左右の両端側に連結されたラック軸３２と、所定の粘性及び弾性を有する粘弾性部材１０とを操舵機構Ａに設けるとともに、粘弾性部材１０の粘性及び弾性がラック軸３２に対して作用するように当該粘弾性部材１０を配置する。【選択図】      図１
2005132217.tif 000002
【特許請求の範囲】
【請求項１】
操舵部材から操向車輪に至る操舵機構に、電動モータの動力を付与して操舵補助を行う電動パワーステアリング装置であって、
前記操舵機構が、前記操向車輪が左右の両端側に連結されたラック軸と、所定の粘性及び弾性を有する粘弾性部材とを具備するとともに、前記粘弾性部材の粘性及び弾性が前記ラック軸に対して作用するように当該粘弾性部材を設けたことを特徴とする電動パワーステアリング装置。
【請求項２】
前記粘弾性部材の粘性定数Ｃが、その粘弾性部材の弾性定数をＫとし、前記ラック軸の前記操向車輪側の慣性をＪとしたときに、下記の不等式（１）
２（ＫＪ）1/2  ≦  Ｃ        ―――（１）
を満足していることを特徴とする請求項１に記載の電動パワーステアリング装置。
【請求項３】
前記粘弾性部材は、内筒部と、その内筒部を隙間を有して包囲する外筒部と、前記内筒部と前記外筒部とを連結するとともに前記弾性定数Ｋを有する弾性体と、前記内筒部及び前記外筒部の間の前記隙間内に入れられるとともに前記粘性定数Ｃを有する粘性体とを備えていることを特徴とする請求項１または２に記載の電動パワーステアリング装置。
【請求項４】
前記ラック軸と前記粘弾性部材との間に、高粘着性の潤滑材を介在させたことを特徴とする請求項１〜３のいずれかに記載の電動パワーステアリング装置。
【発明の詳細な説明】
【技術分野】
【０００１】
本発明は、自動車などの車両に搭載され、電動モータを用いてドライバーの操舵動作を補助する電動パワーステアリング装置に関する。
【背景技術】
【０００２】
例えば自動車に搭載される電動パワーステアリング装置は、操舵部材から操向車輪に至る操舵機構に連結された電動モータを備えており、このモータ動力を操舵機構に付与することで上記操舵部材でのドライバーによる操舵動作を補助するようになっている。また、このようなステアリング装置では、操舵フィーリングの低下を防ぐために、走行路面などに応じて操向車輪から操舵機構側に逆入力される外乱（路面ノイズ）を抑えることが要求されている。
そこで、従来装置には、電動モータの制御系において、上記路面ノイズのうち、不必要な周波数帯域をカットすることにより、操舵機構に対する外乱の悪影響を抑えようとしたものがある（例えば、下記特許文献１参照。）。
また、従来装置には、例えば下記特許文献２に開示されているように、操舵機構側に含まれたラック軸と操向車輪側に連結されたボールジョイントとの間にダンパーとしてのゴム状弾性体からなるブッシュ組立部を設け、このダンパーにて路面ノイズを減衰しようとしたものもある。
【０００３】
【特許文献１】特開２００１−３３４９４８号公報（第３〜６頁、第１図）
【特許文献２】特開２００１−１５１１２１号公報（第３〜４頁、第１図）
【発明の開示】
【発明が解決しようとする課題】
【０００４】
しかしながら、上述の外乱には、ドライバーが操舵部材を介して体感すべき路面情報（路面と操向車輪との間のすべり具合等）が含まれており、所望の周波数帯域だけを遮断することは非常に困難なものであり、故に従来装置では、不必要な路面ノイズが操舵機構側に逆入力されて、そのノイズによる振動や操舵フィーリングの低下を発生した。具体的にいえば、上記特許文献１のように不必要な周波数帯域を制御的にカットする従来装置では、カットオフ周波数の設定などが不適切なものとなり易く路面ノイズの悪影響を確実に抑制することができなかった。また、上記特許文献２のようにブッシュ組立部（ダンパー）を使用する従来装置では、そのダンパーによって必要な路面情報まで減衰されて操舵フィーリングが低下した。しかも、この特許文献２の従来装置では、そのブッシュ組立部での振動吸収性の低下を防ぐために、ブッシュ組立部とボールジョイントとの間に空気排出が可能な円筒軸部を設け、この円筒軸部に当該組立部を連結しており、装置構成が複雑で大型化するという問題もあった。
【０００５】
上記のような従来の問題点に鑑み、本発明は、操舵機構に対する路面ノイズの悪影響を簡単な構成で確実に抑制することができ、よって操舵フィーリングの低下を抑えることができる電動パワーステアリング装置を提供することを目的とする。
【課題を解決するための手段】
【０００６】
本発明は、操舵部材から操向車輪に至る操舵機構に、電動モータの動力を付与して操舵補助を行う電動パワーステアリング装置であって、
前記操舵機構が、前記操向車輪が左右の両端側に連結されたラック軸と、所定の粘性及び弾性を有する粘弾性部材とを具備するとともに、前記粘弾性部材の粘性及び弾性が前記ラック軸に対して作用するように当該粘弾性部材を設けたことを特徴とするものである。
【０００７】
上記のように構成された電動パワーステアリング装置では、ラック軸に対し粘性及び弾性が作用するよう上記粘弾性部材を設けることにより、本発明の発明者等はラック軸に連結された操向車輪から逆入力される外乱（路面ノイズ）のうち、不必要な周波数帯域をカットすることができることを見出した。すなわち、本発明の発明者等は、上記特許文献２の従来例のように弾性や摩擦を作用させた場合と異なり、粘性及び弾性をラック軸に作用させることにより、そのラック軸に操向車輪側から逆入力される路面ノイズに周波数依存性を持たせることができることに着目した。さらに、本発明の発明者等は、路面ノイズの周波数帯域のうち、必要な帯域及び不必要な帯域がそれぞれ低周波帯域（例えば１０Ｈｚ未満）及び高周波帯域（例えば１０Ｈｚ以上）であることに着目し、かつその高周波帯域の路面ノイズだけを粘弾性部材からの粘性及び弾性によって遮断できることを見出した。
【０００８】
また、上記電動パワーステアリング装置において、前記粘弾性部材の粘性定数Ｃが、その粘弾性部材の弾性定数をＫとし、前記ラック軸の前記操向車輪側の慣性をＪとしたときに、下記の不等式（１）
２（ＫＪ）1/2  ≦  Ｃ        ―――（１）
を満足していることが好ましい。
この場合、上記粘弾性部材の粘性及び弾性によってラック軸と操向車輪との間に形成される２次振動系での振動（共振）を確実に防ぐことができ、この振動に起因する操舵フィーリングの低下をより効果的に防止することができる。
【０００９】
また、上記電動パワーステアリング装置において、前記粘弾性部材は、内筒部と、その内筒部を隙間を有して包囲する外筒部と、前記内筒部と前記外筒部とを連結するとともに前記弾性定数Ｋを有する弾性体と、前記内筒部及び前記外筒部の間の前記隙間内に入れられるとともに前記粘性定数Ｃを有する粘性体とを備えていてもよい。
この場合、上記弾性体及び粘性体を備えた一体的な粘弾性部材が使用されることとなり、当該部材の装置への組付作業を容易に行えるとともに、簡単な構成にて操舵機構での振動を抑制して操舵フィーリングの低下を容易に防止することができる。
【００１０】
また、上記電動パワーステアリング装置において、前記ラック軸と前記粘弾性部材との間に、高粘着性の潤滑材を介在させることが好ましい。
この場合、高粘着性の潤滑材がラック軸と粘弾性部材との間に存在しているので、上記粘弾性部材の粘性及び弾性による不必要な路面ノイズの遮断性を高めることができ、操舵機構での路面ノイズの悪影響をより効果的に抑えた装置を容易に構成することができる。
【発明の効果】
【００１１】
本発明によれば、粘弾性部材からラック軸に作用する粘性及び弾性が路面ノイズの不必要な周波数帯域をカットして、操舵機構側に逆入力されるのを防ぐことができるので、当該操舵機構に対する路面ノイズの悪影響を簡単な構成で確実に抑制することができ、よって操舵フィーリングの低下を抑えることができる。
【発明を実施するための最良の形態】
【００１２】
以下、本発明の電動パワーステアリング装置を示す好ましい実施形態について、図面を参照しながら説明する。
図１は、本発明の一実施形態による電動パワーステアリング装置の主要部の構成を示す模式図である。図において、当該装置は、例えば自動車に搭載され、操舵部材（ステアリングホイール）１に加わるドライバーの操舵動作に応じて、操向車輪４の向きを変える操舵軸２を備えている。この操舵軸２には、上記操舵部材１が上端部に取り付けられる筒状の取付軸２１と、この取付軸２１に一体回転可能に連結された筒状の入力軸２２と、トーションバー２３を介在させて入力軸２２に同軸的に連結された筒状の出力軸２４が設けられている。
上記取付軸２１は、ステアリングコラム２５内に収納された状態で車体側に固定されるものであり、その下端部には、トーションバー２３の一端部を内嵌固定した入力軸２２の上端部がピン２６により連結されている。また、上記トーションバー２３の他端部はピン２７により出力軸２４の下端部に内嵌固定されている。
【００１３】
上記入力軸２２及び出力軸２４は、車体側に固定され、かつ図の上下方向に分離可能な第１及び第２、第３のハウジングＨ１及びＨ２、Ｈ３の内部にニードル軸受６１及び玉軸受６２、６３を介してそれぞれ回転自在に取り付けられている。
また、上記出力軸２４には、減速歯車８１及びこれに噛み合うピニオン軸８２を有する減速機構８と、上記ピニオン軸８２が出力軸に一体回転可能に取り付けられるとともに、トルクセンサ７の検出結果に応じて制御ユニット（図示せず）により駆動される操舵補助用の電動モータ９とが連結されている。また、上記減速機構８では、その減速歯車８１が例えば一段のはすば歯車により構成されており、さらにその歯車歯部とピニオン軸８２の歯部との噛み合い部において、バックラッシュをある程度許容することで当該減速機構８でのギヤ効率を向上させた状態でモータ動力を出力軸２４に伝達している。これらの減速機構８と電動モータ９とが、操舵部材１から操向車輪４に至る操舵機構Ａにモータ動力による操舵補助力を付与する操舵補助部を構成している。
【００１４】
上記出力軸２４の下端側には、図示しない自在継手などを介在させてラックピニオン式伝達機構３のピニオン軸３１及びラック軸３２が順次連結されており、さらには左右の上記操向車輪４がタイロッド５及びボールジョイント６を介してラック軸３２の対応する左右端部に連結され、出力軸２４に接続されている。そして、操舵軸２の回転が、ラックピニオン式伝達機構３によって左右方向の直線運動に変換され、操向車輪４が転舵される。  また、上記ピニオン軸３１は、玉軸受３４及びニードル軸受３５により、ラックハウジング３３内に回転可能に取り付けられている。また、ラック軸３２は、サポートヨーク及びラックガイド（図示せず）により摺動支持された状態でラックハウジング３３内に収納されている。
【００１５】
また、上記ラックハウジング３３の内部では、ラック軸３２に対して粘性及び弾性が作用するように、所定の粘性及び弾性を有する筒状の粘弾性部材１０が設けられている。また、この粘弾性部材１０は、ラック軸３２上に塗布された高粘着性の潤滑材を介在させて当該ラック軸３２に連結されている。この潤滑材は、ラック軸３２が比較的高速で動こうとするときに当該ラック軸３２に対し抵抗となり、ラック軸３２が比較的低速で動こうとするときに当該ラック軸３２に対し抵抗とならないように、その粘着性が選択されており、粘弾性部材１０の粘性及び弾性によるモータ制御に不必要な路面ノイズの遮断性を高めている。
【００１６】
具体的にいえば、上記粘弾性部材１０は、図２も参照して、内筒部１１ａと、その内筒部１１ａを隙間を有して包囲する外筒部１１ｂとを有する二重筒形状の金属製の容器１１により一体的に構成されている。また、この容器１１では、内筒部１１ａ及び外筒部１１ｂを一体的に連結する梁１１ｃが例えば容器１１の軸方向中央部分で周方向に沿って例えば９０°間隔で複数設けられている。また、この梁１１ｃは、例えば板バネ材にて構成されたものであり、粘弾性部材１０の弾性体を構成するとともに、上記内筒部１１ａ及び外筒部１１ｂが一体的に連結されて容器１１全体が剛体となるのを阻止している。また、容器１１内では、粘弾性部材１０の粘性体を構成する、例えば合成ゴムからなる粘性材１２が内筒部１１ａと外筒部１１ｂとの間で梁１１ｃに区画された各隙間内に入れられている。そして、粘弾性部材１０では、上記潤滑材を介して内筒部１１ａの内周面をラック軸３２の外周面に密接させ、外筒部１１ｂの外周面をラックハウジング３３の内面に固定させることにより、当該部材１０がラック軸３２上に配置されて、操舵部材１へのステアリング操作や操向車輪４側から逆入力された外乱（路面ノイズ）などに応じて図の左右方向に移動するラック軸３２に弾性及び粘性を作用させるようになっている。尚、上記説明以外に、容器１１の各部を同一の金属材により構成し、その梁の厚さを薄くすることで当該梁に弾性を付与したものでもよい。
【００１７】
また、この粘弾性部材１０では、その粘性及び弾性をラック軸３２に作用させているので、操向車輪４側から当該ラック軸３２に逆入力される上記路面ノイズに周波数依存性を持たせることができ、この路面ノイズの周波数帯域のうち、例えば１０Ｈｚ以上の不必要な高周波帯域をカットすることができる。詳細には、操舵部材１に加えられたステアリング操作やドライバーが操舵部材１を介して体感すべき路面情報、例えば路面と操向車輪４との間のすべり具合に応じてラック軸３２が動く場合では、当該ラック軸３２は比較的低速で、長い周期で移動する。このような比較的遅いラック軸３２の動きに対しては、粘弾性部材１０からの粘性及び弾性は抵抗としてほとんど作用せずにそのラック軸３２の動きを許容する。
これに対して、電動モータ９のアシスト制御に不必要な上記高周波帯域の外乱によってラック軸３２が動くときには、当該ラック軸３２は比較的高速で、短い周期で移動する。このような比較的速いラック軸３２の動きに対しては、粘弾性部材１０からの粘性及び弾性は抵抗として働いてラック軸３２の動きを抑えることにより、当該ラック軸３２から操舵機構Ａ側に上記外乱が伝えられるのを遮断する。
【００１８】
また、上記粘弾性部材１０では、その粘性材１２の粘性定数Ｃがその材質（配合）などを適宜変更することにより下記の不等式（１）を満足するよう設定されており、ラック軸３２と操向車輪４との間に形成される振動系の振動を容易に抑制可能に構成されている。
２（ＫＪ）1/2  ≦  Ｃ                                ―――（１）
但し、（１）式において、Ｊはラック軸３２の操向車輪４側の慣性であり、Ｋは粘弾性部材１０（梁１１ｃ）の弾性定数である。このような粘性定数Ｃを有する粘弾性部材１０を用いることにより、ラック軸３２に対して適切な値の粘性及び弾性を付与することができ、上記振動系の振動を抑えることができる。
【００１９】
詳細にいえば、上記振動系は、ラプラス演算子をｓとしたときに、上述の慣性Ｊと、粘弾性部材１０の弾性定数Ｋ及び粘性定数Ｃとを用いた次の２次振動系の伝達関数、１／（Ｊｓ2＋Ｃｓ＋Ｋ）で表される。この伝達関数は、次の（２）及び（３）式のように展開することができることから、上記振動系の固有角周波数ωn及び減衰係数ζは、（２）及び（３）式の分母項の等価条件によって下記の（４）及び（５）式でそれぞれ示される。
１／（Ｊｓ2＋Ｃｓ＋Ｋ）  ＝  （１／Ｊ）／（ｓ2＋Ｃｓ／Ｊ＋Ｋ／Ｊ）  ――（２）
＝  （１／Ｊ）／（ｓ2＋２ζωnｓ＋ωn2）    ――（３）
ωn  ＝  （Ｋ／Ｊ）1/2                          ――（４）
ζ  ＝  Ｃ／２Ｊωn  ＝Ｃ／２（ＫＪ）1/2        ――（５）
ここで、上記減衰係数ζにおいて、その値が１以上であれば、その２次振動系での振動（共振）が確実に防がれることから、上記（５）式から上述の不等式（１）を得ることができる。
【００２０】
また、上記減衰係数ζについては、その適正な範囲として次の不等式（６）により規定してもよい。
０．４  ≦  ζ  ≦  ２                  ――（６）
詳細には、上記（６）式にて規定される減衰係数ζでは、０．４以上の値を選ぶことによって０．８（ＫＪ）1/2以上の上記粘性定数Ｃが選択されて、粘弾性部材１０はその粘性及び弾性を最低限必要な負荷（抵抗）としてラック軸３２に与えることができ、例えば操向車輪４側から外乱が入力したときでも、上記高粘着性の潤滑材を使用した点とも相まって、そのラック軸３２での振動とこれに伴う操舵フィーリングの変化がドライバーに認識されない程度に、粘弾性部材１０からの抵抗がラック軸３２に付与されて当該振動を抑制することができる。
【００２１】
また、上記のような２次振動系において、ステップ応答が定常状態に対してオーバシュートしないための条件は、理論上、減衰係数ζを２-1/2以上とすることである。すなわち、粘性定数Ｃが、好ましくは上記（５）式より（２（ＫＪ）1/2／２1/2）以上に設定されることにより、上記振動系の固有振動数においてゲインがピークをもたずに比較的安定した系を構成することができる点で好ましい。
また、２以下の減衰係数ζを選ぶことにより、粘弾性部材１０からラック軸３２に与えられる粘性及び弾性を制限して、ラック軸３２、ひいては操舵機構Ａでの応答性が低下するのを抑えることができる。しかも、粘弾性部材１０からラック軸３２に加えられる粘性及び弾性（抵抗）を制限しているので、操舵部材１に対するステアリング操作が過剰に重くなるのを防ぐことができる。
【００２２】
尚、０．４未満の減衰係数ζを選択したときには、粘弾性部材１０からラック軸３２に付与される粘性及び弾性が不足してそのラック軸３２を含んだ上記振動系が安定せずに、この振動系での振動に起因する操舵フィーリングの低下などを招き易い。
また、２よりも大きい減衰係数ζを選んだときには、粘弾性部材１０からの粘性及び弾性が不必要に大きくなって、ステアリング操作を比較的行い難くなったりして、操舵フィーリングが比較的低下する。
【００２３】
以上のように構成された本実施形態の電動パワーステアリング装置では、ラック軸３２に対して粘弾性部材１０が粘性及び弾性を作用させることにより、ラック軸３２に連結された操向車輪４から逆入力される外乱（路面ノイズ）のうち、不必要な周波数帯域をカットしている。これにより、路面ノイズの不必要な周波数帯域が操舵機構Ａ側に逆入力されるのを防ぐことができ、当該操舵機構Ａに対する路面ノイズの悪影響を簡単な構成で確実に抑制して、操舵フィーリングの低下を抑えることができる。また、粘弾性部材１０がラック軸３２とラックハウジング３３との間の空きスペースに配置されているので、装置構成を大型化する必要がない。
また、本実施形態では、ラック軸３２と粘弾性部材１０との間に高粘着性の潤滑材を介在させることにより、粘弾性部材１０の粘性及び弾性による不必要な路面ノイズの遮断性を高めているので、操舵機構Ａでの路面ノイズの悪影響をより効果的に抑えた装置を容易に構成することができる。
【００２４】
尚、上記の説明では、ラック軸３２とラックハウジング３３との間に粘弾性部材１０を設けた場合について説明したが、本発明は所定の粘性及び弾性をラック軸３２に作用させるものであればよく、粘弾性部材の構成、形状、設置数あるいは高粘着性の潤滑材の有無などは上述のものに何等限定されない。但し、図２に示したように、粘性体と弾性体とが一体化された部材１０を用いる場合の方が、当該部材１０の装置への組付作業を容易に行える点で好ましい。さらに、このような簡単な構成により、装置での振動を抑制して操舵フィーリングの低下を容易に防止することができ、しかも装置部品点数を削減できる点で好ましい。
また、上記の説明では、操舵軸２に電動モータ９が連結されるコラムアシスト式の電動パワーステアリング装置に適用した場合を例示したが、本発明は操舵補助モータがラック軸に連結されて、このラック軸の移動をアシストするラックアシスト式等の他のアシスト形式の装置にも適用することができる。
【図面の簡単な説明】
【００２５】
【図１】本発明の一実施形態による電動パワーステアリング装置の主要部の構成を示す模式図である。
【図２】図１に示した粘弾性部材の具体的な構成例を示す拡大図であり、（ａ）及び（ｂ）はそれぞれその平面図及び（ａ）のIIｂ−IIｂ線断面図である。
【符号の説明】
【００２６】
１      操舵部材
２      操舵軸
３      ラックピニオン式伝達機構
３１    ピニオン軸
３２    ラック軸
３３    ラックハウジング
４      操向車輪
９      電動モータ
１０    粘弾性部材
１１    容器
１１ａ  内筒部
１１ｂ  外筒部
１１ｃ  梁（弾性体）
１２    粘性材（粘性体）
【図１】
2005132217.tif 000003
【図２】
2005132217.tif 000004